(57)【要約】【課題】決済の際、現金、クレジットカードまたはポイントカードなどを持参することなく決済が出来る決済システム、ポイントサービスシステムの提供。オンラインショップで商品などを購入した場合、買主が商品を受取ったら売主に商品の代価が精算されるエスクローサービスシステムを提供する。【解決手段】特許文献１に提案されている技術を実現した２次元バーコードリーダ機能が付いたカメラ付き携帯電話５０備え、買主はクライアント端末３０を用いて売主サーバ１０にアクセスし、商品を購入後決済の際、買主は携帯電話５０を用いて表示装置４０から２次元コード画像を読取り操作のみでポイント利用を含め、決済ができ、また売主は決済完了になったら商品を発送し、買主は商品を受取って受領確認し、配達員は配達携帯端末７０で配達伝票８０の２次元コード画像を読取り操作を行い、キャリアは預かった代金を売主に精算するエスクローサービスを提供する。【選択図】図１
2011141849.tif 000002
【特許請求の範囲】
【請求項１】
クライアント端末からインターネットを介して売主サーバと、また携帯端末から無線通信ネットワークと携帯ネットワークを介してキャリア決済サーバと、売主サーバとキャリア決済サーバはインターネットを介して通信可能に構成され、携帯端末を用いたプリペイド及びポストペイド決済システムにあって、前記売主サーバは、Ｗｅｂサービスを行うＷｅｂサーバとデータベースを備え、前記売主のデータベースはトークン情報テーブル、キャリア情報テーブル、取引情報テーブルを備え、クライアント端末から決済処理の要求によりユニークなトークンと取引番号を発行する発行手段と、発行した前記トークンの情報を前記トークン情報テーブルに登録するトークン登録手段と発行した前記取引番号の情報を前記取引情報テーブルに登録する取引情報登録手段と、定まれたフォーマットにあわせてデータを作成するデータ作成手段と、データ作成手段により作成したデータに対して２次元コード画像を生成する２次元コード生成手段と、生成した２次元コード画像をリンクした画面をクライアント端末に送信する画面送信手段を備え、またキャリア決済サーバからトークンと決済処理情報を受信したら、アクセス元が有効か否かのアクセス元判定手段と、アクセス元が有効であれば、受信したトークンをキーにトークン情報テーブルを照合し、トークンが有効か否かを判定するトークン判定手段と、トークンが有効であれば、受信した情報で前記取引情報テーブルを更新する取引情報決済更新手段と、受信したトークンを更新するトークン更新手段と、クライアント端末に決済完了を通知するクライアント通知手段、前記キャリア決済サーバに処理結果を通知する結果通知手段、クライアント端末からトークンをパラメータとして処理結果通知要求があって、決済処理とトークン更新が完了になったら少なくとも取引情報を表示する取引感謝画面送信手段とを機能させるプログラムがインストールされている売主サーバを含むことを特徴とする携帯端末を用いたプリペイド及びポストペイド決済システム。
【請求項２】
クライアント端末からインターネットを介して売主サーバと、また携帯端末から無線通信ネットワークと携帯ネットワークを介してキャリア決済サーバと、売主サーバとキャリア決済サーバはインターネットを介して通信可能に構成され、携帯端末を用いたポイントサービスシステムにあって、前記売主サーバは、Ｗｅｂサービスを行うＷｅｂサーバとデータベースを備え、前記売主のデータベースはポイント会員情報テーブル、ポイント情報テーブルを備え、前記キャリア決済サーバから請求額と電話番号を受信したら、ポイント利用後の決済額を計算する決済額計算手段と、前記キャリア決済サーバからトークン、電話番号と決済処理情報を受信したら、発生したポイントを登録するポイント情報登録手段とを機能させるプログラムがインストールされている売主サーバを含むことを特徴とする携帯端末を用いたポイントサービスシステム。
【請求項３】
クライアント端末からインターネットを介して売主サーバと、また携帯端末から無線通信ネットワークと携帯ネットワークを介してキャリア決済サーバと、売主サーバとキャリア決済サーバはインターネットを介して通信可能に構成され、携帯端末を用いたプリペイド及びポストペイド決済システムにあって、前記クライアント端末は前記売主サーバから２次元コード画像を表示した画面を受信して表示装置に表示し、トークンをパラメータとして前記売主サーバに非同期通信の処理結果通知要求手段を備え、前記売主サーバから処理結果を受信したら、ユーザが入力操作することなく次画面である取引感謝画面に自動遷移する非同期通信により自動画面遷移手段を機能させるスクリプトが２次元コード画像を表示した画面をクライアント端末の表示装置に表示する際に実行されることを特徴とする携帯端末を用いたプリペイド及びポストペイド決済システム。
【請求項４】
配達携帯端末から無線通信ネットワークとインターネットを介して配達センターサーバと、配達センターサーバとキャリア決済サーバはインターネットを介して、キャリア決済サーバと売主サーバはインターネットを介して通信可能に構成され、携帯端末を用いたエスクローサービススシステムにあって、前記配達センターサーバは、Ｗｅｂサービスを行うＷｅｂサーバとデータベースを備え、前記配達センターのデータベースはキャリア情報テーブル、配達情報テーブルを備え、配達員が前記配達携帯端末のカメラを用いて配達伝票の２次元コードを撮像して配達センターサーバにアクセルする操作を行うことにより、前記配達センターサーバは前記配達携帯端末からの配達完了のアクセスの際、配達情報登録手段を備え、キャリア決済サーバアクセス手段を機能させるプログラムがインストールされている配達センターサーバを含むことを特徴とする携帯端末を用いたエスクローサービススシステム。
【請求項５】
クライアント端末からインターネットを介して売主サーバと、また携帯端末から無線通信ネットワークと携帯ネットワークを介してキャリア決済サーバと、配達センターサーバとキャリア決済サーバはインターネットを介して、売主サーバとキャリア決済サーバはインターネットを介して通信可能に構成され、携帯端末を用いたプリペイド及びポストペイド決済システム、ポイントサービスシステム、エスクローサービスシステムにあって、前記キャリア決済サーバは、Ｗｅｂサービスを行うＷｅｂサーバとデータベースを備え、前記キャリア決済サーバのデータベースには加入者情報テーブル、加盟店情報テーブル、加入者決済情報テーブル、プリペイド情報テーブルを備え、携帯端末からのアクセスに基づいてパラメータデータ（少なくとも発行者情報から加盟店ＩＤ、トークン、処理区分、請求額、加入者情報から電話番号）を抽出する抽出手段と、前記発行者情報から加盟店ＩＤを特定する値をキーに加盟店情報テーブルを照合して売主サーバＵＲＬを取得するＵＲＬ取得手段と、ＵＲＬ取得が出来たら、携帯端末を特定する固体識別番号取得手段と、前記加入者情報から電話番号を特定する値と固体識別番号をキーに前記加入者情報テーブルを照合して有効な端末か否かを判定する端末認証手段と、前記パラメータの処理区分がポイント利用可の場合、ポイント利用後の決済額取得手段と、決済処理手段により決済を行い。前記売主サーバＵＲＬ宛に決済処理が正常であることを送信する売主宛通知手段と、前記売主サーバから処理結果を受信したら、決済処理結果画面を作成し携帯端末に処理結果を通知する携帯端末通知手段と、配達センターサーバからのアクセスの際には配達完了登録手段を機能させるプログラムがインストールされているキャリア決済サーバを含むことを特徴とする携帯端末を用いたプリペイド及びポストペイド決済システム、ポイントサービスシステム、エスクローサービスシステム。
【請求項６】
前記決済処理手段において、決済額が定まれた金額以下の小額の場合、プリペイド残高取得手段と、取得したプリペイド残高が不足の場合、プリペイドチャージ手段と、プリペイド残高であるバニューの減算手段を備え、決済額が定まれた金額を越えた場合、ポストペイド決済手段を備え、加盟店の精算口座に入金を行う精算手段を備え、処理が成功したらユニークな決済ＩＤを発行し、加入者決済情報テーブルに決済情報登録手段を機能させるプログラムがインストールされているキャリア決済サーバを含むことを特徴とする請求項５記載の携帯端末を用いたプリペイド及びポストペイド決済システム。
【請求項７】
前記プリペイドチャージ手段において、キャリアの与信処理機能と連携して携帯端末加入者のキャリアと課金契約「クレジットカード又は預金口座振替」に従った方法により、予め備えたキャリア口座に入金処理する与信連携インタフェースモジュールを呼び、チャージ金額はプリペイド残高を含め、定まれた金額を入金処理し、入金が成功したら入金額をプリペイド残高であるバニューに増額する増額手段を機能させるプログラムがインストールされているキャリア決済サーバを含むことを特徴とする請求項６記載の携帯端末を用いたプリペイド決済システム。
【請求項８】
前記ポストペイド決済手段において、キャリアの与信処理機能と連携して携帯端末加入者のキャリアと課金契約「クレジットカード又は預金口座振替」に従った方法により、予め備えたキャリア口座に入金処理する与信連携インタフェースモジュールを呼び、前記決済額の入金処理を行うポストペイド決済手段を機能させるプログラムがインストールされているキャリア決済サーバを含むことを特徴とする請求項６記載の携帯端末を用いたポストペイド決済システム。
【請求項９】
前記精算手段において、売主である加盟店の精算口座に送金する処理で、買主の決済完了情報がある加入者決済情報テーブルから精算されてないデータを抽出するステップと、抽出したデータの精算区分が通常の場合、または精算区分がエスクローであってかつ配達日の値がある場合は抽出したデータの加盟店ＩＤをキーに前記加盟店情報テーブルを照合し、加盟店の精算口座番号を取得し、キャリアの与信処理機能と連携した与信連携インタフェースモジュールを呼び、キャリア口座から加盟店の精算口座に送金を行い、送金が正常終了したら加入者決済情報テーブルの精算日を更新する加入者決済情報更新手段を機能させるプログラムがインストールされているキャリア決済サーバを含むことを特徴とする請求項６記載の携帯端末を用いたプリペイド及びポストペイド決済システム、ポイントサービスシステム、エスクローサービスシステム。
【請求項１０】
携帯端末から無線通信ネットワークと携帯ネットワークを介してキャリア決済サーバと通信可能に構成され、携帯端末を用いたプリペイド決済システム、小額振替方法にあって、前記キャリア決済サーバは、Ｗｅｂサービスを行うＷｅｂサーバとデータベースを備え、前記キャリア決済サーバのデータベースには加入者情報テーブル、プリペイド情報テーブルを備え、携帯端末からの小額振替のアクセスの際、パラメータデータから振替先の電話番号と振替金額を抽出するステップと前記端末認証を行うステップと振替先の電話番号がキャリアの加入者かを確認するステップと振替金額が前記プリペイド残高を含め、定まれた金額以下であることを確認するステップを備え、キャリアの与信処理機能と連携して携帯端末加入者のキャリアと課金契約「クレジットカード又は預金口座振替」に従った方法により、予め備えたキャリア口座に入金処理する与信連携インタフェースモジュールを呼出すステップ、振替金額を入金処理し、入金が成功したら入金額を振替先の電話番号で特定するユーザＩＤのプリペイド残高に該当するバニューに増額する増額手段を機能させるプログラムがインストールされているキャリア決済サーバを含むことを特徴とする携帯端末を用いたプリペイド決済システム、小額振替方法。
【発明の詳細な説明】
【技術分野】
【０００１】
本発明は、プリペイド及びポストペイド決済システム,小額振替方法、ポイントサービスシステム、エスクローサービスシステムに関するものであり、決済の際、現金、クレジットカードまたはポイントカードなどを持参することなく決済が出来るプリペイド及びポストペイド決済システム、また携帯電話を用いて小額振替方法、オンラインで商品などを購入した場合、売主は対価の支払済みになったら商品を発送するし、買主は商品が届いたら受領確認し、配達員は配達携帯端末で配達伝票の２次元コード画像を読取り操作を行い、キャリアは預かった支払金を売主に精算することにより、オンラインで安全かつ信頼できる取引が出来るエスクローサービスシステムに関する。
【背景技術】
【０００２】
２次元バーコードリーダ機能が付いたカメラ付き携帯電話が普及され、携帯電話でインターネットにアクセスする際に携帯電話の入力装置でアクセス先のＵＲＬを入力することなくアクセス先のＵＲＬがある２次元バーコードを撮像して簡単にアクセスすることが可能である。
【０００３】
移動通信端末に専用のオペレーティングシステムが採用されて、無線でインターネットにアクセスすることが出来るスマートフォンが普及されている。
【０００４】
また、定められたフォーマットの２次元バーコードを２次元バーコードリーダ機能が付いたカメラ付き携帯端末で撮像したらフォーマットに関連付けられたＵＲＬに自動アクセスする技術が特許文献１に提案されている。
【０００５】
また、特許文献２には決済の際、現金、クレジットカードを持参することなく決済ができる携帯端末を用いた決済方法及び決済システム技術が提案されている。
【０００６】
また、非特許文献１には電子マネー決済端末機器の展開と実際に携帯電話に埋め込まれたICチップを使ったおサイフケータイ「登録商標」も普及されている。
【０００７】
【特許文献１】特願2010-2202
【特許文献２】PCT  /  JP2008  /  002072
【非特許文献１】富士時報  Ｖｏｌ．７６  Ｎｏ．１０  ２００３
【発明の開示】
【発明が解決しようとする課題】
【０００８】
決済の際、現金、クレジットカードまたはポイントカードなどを持参することなく決済が出来る携帯電話を用いたプリペイド及びポストペイド決済システム、また例え親が子供に現金ではなく携帯電話を用いて小遣いをあげる小額振替方法、オンラインショップで商品などを購入した場合、売主は対価の支払済みになったら商品を発送し、買主は商品が届いたら受領確認し、配達員は配達携帯端末で配達伝票の２次元コード画像を読取り操作を行い、キャリアは預かった支払金を売主に精算することにより、オンラインで安全かつ信頼できる取引が出来る携帯電話を用いたエスクローサービスシステムに関する。
【０００９】
特許文献２による決済方式を実現するためには特許文献２の請求項８によると買主携帯端末から売主サーバの仲介サイトを介してキャリア決済サーバに接続し、売主サーバの仲介サイトからキャリア決済サーバに接続するためにキャリア決済サイトのＵＲＬ取得手段が必要し、接続する際にはリダイレクトしてキャリア決済サイトにアクセスする。しかしながらリダイレクトアクセス方法は売主サーバの仲介サイトからクライアントである買主携帯端末にレスポンスして、また自動的にキャリア決済サイトにアクセスになるので、余計な通信トラフィックが発生するし、余計な通信料金がかかる問題点があります。
【００１０】
非特許文献１によるとプリペイド型電子マネーまたはおサイフケータイ「登録商標」は、非接触ICカードまたはおサイフケータイ「登録商標」のICチップのような記憶媒体に金銭的価値（バリュー）をデータとしてストアし、それを支払いに利用することなので電子マネーまたはおサイフケータイが盗難や紛失の際には悪用される問題点があるし、おサイフケータイの場合、リモートロック機能が付いている携帯電話もあるが、携帯電話の電源がオフになっているとおサイフケータイの機能を停止することが出来ない問題点もあるし、また機種変更の際にはICチップのような記憶媒体に金銭的価値（バリュー）をデータとしてストアしなければならない。
【００１１】
本発明の目的は、決済の際、現金、クレジットカードまたはポイントカードなどを持参することなく決済が出来る携帯端末を用いてプリペイド及びポストペイド決済システム及びポイントサービスシステムを提供する。
【００１２】
本発明の目的は、例え、親が子供に現金ではなく携帯端末を用いて小遣いをあげる小額振替方法を提供する。
【００１３】
本発明の目的は、オンラインショップで商品などを購入した場合、売主は対価の支払済みになったら商品を発送し、買主は商品が届いたら受領確認し、配達員は配達携帯端末で配達伝票の２次元コード画像を読取り操作を行い、キャリアは預かった支払金を売主に精算することにより、オンラインで安全かつ信頼できる取引が出来る携帯端末を用いてエスクローサービスシステムを提供する。
【課題を解決するための手段】
【００１４】
携帯端末というのは特許文献１に提案されている技術を実現した２次元バーコードリーダ機能が付いたカメラ付き携帯端末であって、定められたフォーマットの２次元コードを撮像したら定まれたフォーマットに関連付けられたＵＲＬに自動アクセスする移動通信端末であって、周知の携帯電話、スマートフォン、ＰＤＡ、ＰＨＳである。
【００１５】
前記定まれたフォーマットにはヘッダ部とデータ部があり、前記ヘッダ部には少なくともインターネットサイトを特定する識別コードを備えて、前記データ部には少なくともデータの発行者がわかる発行者情報、一回性のトークン、処理区分、データとを備えることを特徴とする。
【００１６】
前記携帯端末は定まれたフォーマットに関連付けられたＵＲＬに自動アクセスする際には前記データ部の内容を、送信パラメータに設定し、さらに携帯端末の加入者情報を送信パラメータに設定して送信することを特徴とする。
【００１７】
買主というのはインターネットを介したオンラインサイト及びモバイルコマースで代価を支払ってから物品、コンテンツ又はサービスを受ける側、店舗等のオフライン環境で代価を払ってから物品、サービスを受ける側である。
【００１８】
売主というのはインターネットを介したオンラインサイト及びモバイルコマースで代価をもらってから物品、コンテンツ又はサービスを提供する側、店舗等のオフライン環境で代価をもらってから物品、サービスを提供する側である。
【００１９】
配達携帯端末というのは２次元バーコードリーダ機能が付いたカメラ付き携帯端末で無線インターネット網または無線通信ネットワークと携帯ネットワークを介して配達センターサーバと通信が出来る端末で周知の携帯電話でもいい。
【００２０】
クライアント端末というのはインターネットを介して売主サーバと通信が出来る端末で周知のパソコンまたはＰＯＳレジスタ端末、ディジタルテレビでもいい。
【００２１】
配達センターというのは商品の売主が依頼した商品を買主に配達する配達業者側である。
【００２２】
キャリアというのは移動通信サービス事業者で買主が携帯電話を加入する際にクレジットカードまたは銀行口座を連携した課金契約を締結し、売主側が決済代行サービスの申込により審査を行い、審査条件をクリアしたら売主と加盟店契約を締結し、決済代行サービス、ポイントサービス、エスクローサービスを提供する側である。
【００２３】
個体識別番号とは携帯電話には、個々の端末を識別するための情報が付与されており、この固体識別番号により携帯電話番号と契約者を特定できる情報である。
【００２４】
上記の目的を達成するために、クライアント端末からインターネットを介して売主サーバと、また携帯端末から無線通信ネットワークと携帯ネットワークを介してキャリア決済サーバと、売主サーバとキャリア決済サーバはインターネットを介して通信可能に構成され、携帯端末を用いたプリペイド及びポストペイド決済システムにあって、前記売主サーバは、Ｗｅｂサービスを行うＷｅｂサーバとデータベースを備え、前記売主のデータベースはトークン情報テーブル、キャリア情報テーブル、取引情報テーブルを備え、クライアント端末から決済処理の要求によりユニークなトークンと取引番号を発行する発行手段と、発行した前記トークンの情報を前記トークン情報テーブルに登録するトークン登録手段と発行した前記取引番号の情報を前記取引情報テーブルに登録する取引情報登録手段と、前記定まれたフォーマットにあわせてデータを作成するデータ作成手段と、データ作成手段により作成したデータに対して２次元コード画像を生成する２次元コード生成手段と、生成した２次元コード画像をリンクした画面をクライアント端末に送信する画面送信手段を備え、またキャリア決済サーバからトークンと決済処理情報を受信したら、アクセス元が有効か否かのアクセス元判定手段と、アクセス元が有効であれば、受信したトークンをキーにトークン情報テーブルを照合し、トークンが有効か否かを判定するトークン判定手段と、トークンが有効であれば、受信した情報で前記取引情報テーブルを更新する取引情報決済更新手段と、受信したトークンを更新するトークン更新手段と、クライアント端末に決済完了を通知するクライアント通知手段、前記キャリア決済サーバに処理結果を通知する結果通知手段、クライアント端末からトークンをパラメータとして処理結果通知要求があって、決済処理とトークン更新が完了になったら少なくとも取引情報を表示する取引感謝画面送信手段とを機能させるプログラムがインストールされている売主サーバを含むことを特徴とする。
【００２５】
上記の目的を達成するために、クライアント端末からインターネットを介して売主サーバと、また携帯端末から無線通信ネットワークと携帯ネットワークを介してキャリア決済サーバと、売主サーバとキャリア決済サーバはインターネットを介して通信可能に構成され、携帯端末を用いたポイントサービスシステムにあって、前記売主サーバは、Ｗｅｂサービスを行うＷｅｂサーバとデータベースを備え、前記売主のデータベースはポイント会員情報テーブル、ポイント情報テーブルを備え、前記キャリア決済サーバから請求額と電話番号を受信したら、ポイント利用後の決済額を計算する決済額計算手段と、前記キャリア決済サーバからトークン、電話番号と決済処理情報を受信したら、発生したポイントを登録するポイント情報登録手段とを機能させるプログラムがインストールされている売主サーバを含むことを特徴とする。
【００２６】
上記の目的を達成するために、配達携帯端末から無線通信ネットワークとインターネットを介して配達センターサーバと、配達センターサーバとキャリア決済サーバはインターネットを介して、キャリア決済サーバと売主サーバはインターネットを介して通信可能に構成され、携帯端末を用いたエスクローサービスにあって、前記配達センターサーバは、Ｗｅｂサービスを行うＷｅｂサーバとデータベースを備え、前記配達センターのデータベースはキャリア情報テーブル、配達情報テーブルを備え、配達員が前記配達携帯端末のカメラを用いて配達伝票の２次元コードを撮像して配達センターサーバにアクセルする操作を行うことにより、前記配達センターサーバは前記配達携帯端末からの配達完了のアクセスの際、配達情報登録手段を備え、キャリア決済サーバアクセス手段を機能させるプログラムがインストールされている配達センターサーバを含むことを特徴とする。
【００２７】
前記データ作成手段にあって、前記定まれたフォーマットにあわせヘッダ部の識別コードにはキャリア決済サーバのＵＲＬを特定するコードをデータ部の発行者情報には売主サーバを特定する加盟店ＩＤをトークンには前記トークン発行手段に生成したトークンを設定し、処理区分にはポイント利用可否と取引種別とエスクロー利用が特定できるコードを設定し、データには請求額を設定することを特徴とする。
【００２８】
前記アクセス元判定手段にあって、キャリア決済サーバからトークン、電話番号と決済処理情報を受信したら、リクエストのヘッダ情報からアクセス元の識別情報を取得して、取得した前記アクセス元の識別情報をキーに前記キャリア情報テーブルを照合してアクセス元が有効か否か判定し、アクセス元が不正であれば、取引情報テーブルの更新処理またはトークン情報テーブルの更新処理はできないことを特徴とする。
【００２９】
前記トークン判定手段にあって、前記キャリア決済サーバからトークンを含む決済処理情報を受信したら、受信したトークンをキーに前記トークン情報テーブルを照合してトークン発行時刻を取得し、前記キャリア決済サーバから受信した時刻とトークン発行時刻の差が定まった時間の以内（例え60秒）であればトークンは有効であるが定まった時間を越えたらトークンは無効になることを特徴とする。
【００３０】
前記決済処理情報にあって、前記キャリア決済サーバから受信するパラメータデータであって、少なくとも決済を行ったキャリアＩＤ、決済ＩＤ、決済額、プリペイド決済の場合はプリペイド決済の内容を含むことを特徴とする。
【００３１】
ポイント情報登録手段にあって、ポイント会員ではない初回の携帯端末を用いた決済の場合、ポイント会員情報テーブルに前記電話番号をキーに簡易会員登録を行いし、ポイント情報テーブルに前記電話番号と前記取引番号をキーに該当する取引に対してのポイントの発生とポイントの利用の内容を登録することを特徴とする。
【００３２】
上記の目的を達成するために、クライアント端末からインターネットを介して売主サーバと、また携帯端末から無線通信ネットワークと携帯ネットワークを介してキャリア決済サーバと、売主サーバとキャリア決済サーバはインターネットを介して通信可能に構成され、携帯端末を用いたプリペイド及びポストペイド決済システムにあって、前記クライアント端末は前記売主サーバから２次元コード画像を表示した画面を受信して表示装置に表示し、トークンをパラメータとして前記売主サーバに非同期通信の処理結果通知要求手段を備え、前記売主サーバから処理結果を受信したら、ユーザが入力操作することなく次画面である取引感謝画面に自動遷移する非同期通信により自動画面遷移手段を機能させるスクリプトが２次元コード画像を表示した画面をクライアント端末の表示装置に表示する際に実行されることを特徴とする。
【００３３】
上記の目的を達成するために、クライアント端末からインターネットを介して売主サーバと、また携帯端末から無線通信ネットワークと携帯ネットワークを介してキャリア決済サーバと、配達センターサーバとキャリア決済サーバはインターネットを介して、売主サーバとキャリア決済サーバはインターネットを介して通信可能に構成され、携帯端末を用いたプリペイド及びポストペイド決済システム、ポイントサービスシステム、エスクローサービスシステムにあって、前記キャリア決済サーバは、Ｗｅｂサービスを行うＷｅｂサーバとデータベースを備え、前記キャリア決済サーバのデータベースには加入者情報テーブル、加盟店情報テーブル、加入者決済情報テーブル、プリペイド情報テーブルを備え、携帯端末からのアクセスに基づいてパラメータデータ（少なくとも発行者情報から加盟店ＩＤ、トークン、処理区分、請求額、加入者情報から電話番号）を抽出する抽出手段と、前記発行者情報から加盟店ＩＤを特定する値をキーに加盟店情報テーブルを照合して売主サーバＵＲＬを取得するＵＲＬ取得手段と、ＵＲＬ取得が出来たら、携帯端末を特定する固体識別番号取得手段と、前記加入者情報から電話番号を特定する値と固体識別番号をキーに前記加入者情報テーブルを照合して有効な端末か否かを判定する端末認証手段と、前記パラメータの処理区分がポイント利用可の場合、ポイント利用後の決済額取得手段と、決済処理手段により決済を行い。前記売主サーバＵＲＬ宛に決済処理が正常であることを送信する売主宛通知手段と、前記売主サーバから処理結果を受信したら、決済処理結果画面を作成し携帯端末に処理結果を通知する携帯端末通知手段と、配達センターサーバからのアクセスの際には配達完了登録手段を機能させるプログラムがインストールされているキャリア決済サーバを含むことを特徴とする。
【００３４】
前記決済処理手段において、決済額が定まれた金額以下の小額の場合、プリペイド残高取得手段と、取得したプリペイド残高が不足の場合、プリペイドチャージ手段と、プリペイド残高であるバニューの減算手段を備え、決済額が定まれた金額を越えた場合、ポストペイド決済手段を備え、加盟店の精算口座に入金を行う精算手段を備え、処理が成功したらユニークな決済ＩＤを発行し、加入者決済情報テーブルに決済情報登録手段を機能させるプログラムがインストールされているキャリア決済サーバを含むことを特徴とする。
【００３５】
前記プリペイドチャージ手段において、キャリアの与信処理機能と連携して携帯端末加入者のキャリアと課金契約「クレジットカード又は預金口座振替」に従った方法により、予め備えたキャリア口座に入金処理する与信連携インタフェースモジュールを呼び、チャージ金額はプリペイド残高を含め、定まれた金額を入金処理し、入金が成功したら入金額をプリペイド残高であるバニューに増額する増額手段を機能させるプログラムがインストールされているキャリア決済サーバを含むことを特徴とする。
【００３６】
前記ポストペイド決済手段において、キャリアの与信処理機能と連携して携帯端末加入者のキャリアと課金契約「クレジットカード又は預金口座振替」に従った方法により、予め備えたキャリア口座に入金処理する与信連携インタフェースモジュールを呼び、前記決済額の入金処理を行うポストペイド決済手段を機能させるプログラムがインストールされているキャリア決済サーバを含むことを特徴とする。
【００３７】
前記精算手段において、売主である加盟店の精算口座に送金する処理で、買主の決済完了情報がある加入者決済情報テーブルから精算されてないデータを抽出するステップと、抽出したデータの精算区分が通常の場合、または精算区分がエスクローであってかつ配達日の値がある場合は抽出したデータの加盟店ＩＤをキーに前記加盟店情報テーブルを照合し、加盟店の精算口座番号を取得し、キャリアの与信処理機能と連携した与信連携インタフェースモジュールを呼び、キャリア口座から加盟店の精算口座に送金を行い、送金が正常終了したら加入者決済情報テーブルの精算日を更新する加入者決済情報更新手段を機能させるプログラムがインストールされているキャリア決済サーバを含むことを特徴とする。
【００３８】
前記精算手段において、前記決済処理時、リアルタイムで実行してもいいし、定まれた時間に一括処理してもよい。
【００３９】
売主宛通知手段において、売主宛に送信するパラメータデータはトークン、電話番号、決済処理情報（少なくともキャリアＩＤ、決済ＩＤ、決済額を含む、プリペイド決済の場合、プリペイド利用情報として支払額と、残額を含む）、配達先情報（少なくとも加入者氏名、加入者住所を含む、但し、取引内容が配達をしない場合、例えば、コンテンツのダウンロードなどの場合、空のデータもいい）を含むことを特徴とする。
【００４０】
上記の目的を達成するために、携帯端末から無線通信ネットワークと携帯ネットワークを介してキャリア決済サーバと通信可能に構成され、携帯端末を用いた小額振替方法にあって、前記キャリア決済サーバは、Ｗｅｂサービスを行うＷｅｂサーバとデータベースを備え、前記キャリア決済サーバのデータベースには加入者情報テーブル、プリペイド情報テーブルを備え、携帯端末からの小額振替のアクセスの際、パラメータデータから振替先の電話番号と振替金額を抽出するステップと前記端末認証を行うステップと振替先の電話番号がキャリアの加入者かを確認するステップと振替金額が前記プリペイド残高を含め、定まれた金額以下であることを確認するステップを備え、キャリアの与信処理機能と連携して携帯端末加入者のキャリアと課金契約「クレジットカード又は預金口座振替」に従った方法により、予め備えたキャリア口座に入金処理する与信連携インタフェースモジュールを呼出すステップ、振替金額を入金処理し、入金が成功したら入金額を振替先の電話番号で特定するユーザＩＤのプリペイド残高に該当するバニューに増額する増額手段を機能させるプログラムがインストールされているキャリア決済サーバを含むことを特徴とする。
【００４１】
前記電話番号は一意的な変換でユーザの匿名性を保つことも良い。
【００４２】
携帯端末からキャリア決済サーバにアクセスは無線インターネットでもいい。
【００４３】
配達携帯端末から配達センターサーバにアクセスは無線インターネットでもいい。
【発明の効果】
【００４４】
本発明の携帯端末を用いてプリペイド及びポストペイド決済システム、ポイントサービスシステムによればインターネットを介したオンライン環境の取引、ネットオークション、又はオフライン環境の取引の決済の際、現金、クレジットカードまたはポイントカードなどを持参することなく決済が出来るし、ポイントを利用した決済またはポイントを貯めることもできる。
【００４５】
本発明の携帯端末を用いた小額振替方法によれば例え、親が子供に現金ではなく携帯端末を用いて小遣いをあげることもできる。
【００４６】
本発明の携帯端末を用いたエスクローサービスシステムによれば携帯端末の持ち主がオンラインショップで商品などを購入した場合、買主は代価を売主の口座ではなくキャリアの口座に入金して預かって置く、売主は対価の支払済みになったら商品を発送し、買主は商品が届いたら受領確認し、配達員は配達携帯端末で配達伝票の２次元コード画像を読取り操作を行い、キャリアは預かった支払金を売主に精算することにより、オンラインで安全かつ信頼できる取引が出来る。
【００４７】
本発明の携帯端末を用いたプリペイド及びポストペイド決済システム,小額振替方法、ポイントサービスシステム、エスクローサービスシステムによればオンライン環境の取引、又はオフライン環境の取引の決済のため、現金、クレジットカードまたはポイントカードなどを持参が不要なのでクレジットカードの紛失又はクレジットカード関連犯罪も予防できる。さらにおサイフケータイ「登録商標」のICチップのような記憶媒体に金銭的価値（バリュー）をデータとしてストアしなくていいので、ICチップが要らないし、盗難や紛失の際、または機種変更の際にも簡単に手続きが出来る。
【発明を実施するための最良の形態】
【００４８】
本発明の実施の形態を、以下図に基づき説明する。
【００４９】
図１は、携帯端末を用いたプリペイド及びポストペイド決済システム,小額振替方法、ポイントサービスシステム、エスクローサービスシステムの構成図である。
【００５０】
図１において、売主サーバ装置１０と、キャリア決済サーバ装置２０と、クライアント端末３０と、表示装置４０と、携帯電話５０と、配達センターサーバ６０と、配達携帯端末７０を含む。
【００５１】
売主サーバ装置１０は、通信部１１とインターネット９９を介してＷｅｂサービスを行うＷｅｂサーバ１２と業務に必要なデータベース１４を管理するデータベースサーバ１３とを備える。
【００５２】
通信部１１は、インターネット９９と接続し、インターネット９９を介して種々の情報のやりとりを行う。
【００５３】
Ｗｅｂサーバ１２は、ユニークなトークンと取引番号を発行する発行手段１２ａと、トークン登録手段１２ｂと、取引情報登録手段１２ｃ、データ作成手段１２ｄ、２次元コード生成手段１２ｅと、画面送信手段１２ｆと、アクセス元判定手段１２ｇと、トークン判定手段１２ｈと、取引情報決済更新手段１２ｉと、トークン更新手段１２ｊと、クライアント通知手段１２ｋと、結果通知手段１２ｌと、取引感謝画面送信手段１２ｍと、決済額計算手段１２ｎと、ポイント情報登録手段１２ｏと、取引情報配達更新手段１２ｐと、動作プログラム格納部１２ｑを備える。
【００５４】
データベースサーバ１３は、データベース１４の中にはキャリア情報テーブル１４ａと、トークン情報テーブル１４ｂ、取引情報テーブル１４ｃ、ポイント会員情報テーブル１４ｄ、ポイント情報テーブル１４ｅを備える。
【００５５】
トークン登録手段１２ｂにあって、発行手段１２ａで発行したトークンをキーにトークン情報テーブル１４ｂに登録する処理である。
【００５６】
取引情報登録手段１２ｃにあって、発行手段１２ａで発行した取引番号発行をキーに取引情報テーブル１４ｃに登録する処理である。
【００５７】
データ作成手段１２ｄにあって、携帯端末が解析可能な定まれたフォーマットにあわせヘッダ部の識別コードにはキャリア決済サーバのＵＲＬを特定するコードをデータ部の発行者情報には売主サーバを特定する加盟店ＩＤをトークンには前記トークン発行手段に生成したトークンを設定し、処理区分にはポイント利用有無と取引種別とエスクロー利用が特定できるコードを設定し、データには請求額を設定することを設定する処理である。
【００５８】
画面送信手段１２ｆは、インターネット９９を介してクライアント端末３０からアクセスを受け付けた際に、トークンを発行する発行手段１２ａで売主サーバにユニークなトークンを発行し、データ作成手段１２ｄで携帯電話５０が解析できるファーマットのデータを作成し、作成したデータは２次元コード生成手段１２ｅで２次元コードの画像を作成し、作成した画像とトークンを含む画面を作成してアクセス元であるクライアント端末に送信する処理である。
【００５９】
アクセス元判定手段１２ｇにあって、インターネット９９を介してキャリア決済サーバからトークンを含む処理結果を受信したら、リクエストのヘッダ情報からアクセス元のアドレス情報を取得して、取得した前記アクセス元のアドレス情報をキーに前記キャリア情報テーブル１４aを照合して、ヒットしたら有効なアクセスとして判定し、アクセス元が不正であれば、処理は中止することになる。
【００６０】
トークン判定手段１２ｈにあって、インターネット９９を介してキャリア決済サーバからトークンを含む処理結果を受信したら、受信したトークンをキーに前記トークン情報テーブル１４ｂを照合してトークン発行時刻を取得し、キャリア決済サーバから受信した時点の時刻とトークン発行時刻の差が定まった時間の以内（例え60秒）であればトークンは有効であるが定まった時間を越えたらトークンは無効で処理は中止することになる。
【００６１】
取引情報決済更新手段１２ｉにあって、インターネット９９を介してキャリア決済サーバからトークンを含む決済処理情報を受信したら、受信したトークンをキーに前記トークン情報テーブル１４ｂを照合して取引番号を取得し、取得した取引番号をキーに取引情報テーブル１４ｃを更新する処理で更新内容は決済処理情報で受信した決済ＩＤと決済額を設定して更新する。
【００６２】
トークン更新手段１２ｊにあって、前記アクセス元判定手段１２ｇと、トークン判定手段１２ｈと、取引情報決済更新手段１２ｉの処理が成功したら、前記トークンをキーに前記トークン情報テーブルに更新する。
【００６３】
クライアント通知手段１２ｋにあって、売主サーバ側の処理が正常に終了したら、クライアント端末に正常終了を非同期通信で通知する。
【００６４】
結果通知手段１２ｌにあって、売主サーバ側の処理結果をキャリアのキャリア決済サーバに通知する処理で、処理結果が成功であれば、成功のステータスをレスポンスする。処理果が失敗であれば、失敗のステータスをレスポンスする。
【００６５】
取引感謝画面送信手段１２ｍにあって、クライアント通知手段１２ｋにより、クライアント端末に通知したら、クライアント端末が自動的に行う画面遷移の要求に応答する取引感謝画面の送信処理である。
【００６６】
決済額計算手段１２ｎにあって、インターネット９９を介してキャリア決済サーバから少なくとも請求額と電話番号をパラメータとしてポイント利用後の決済額の要求があったら、パラメータの電話番号をキーにポイント情報テーブルｅを照合に有効なポイント額を取得し、パラメータの請求額から有効なポイン額の差額を返す処理である。
【００６７】
ポイント情報登録手段１２ｏにあって、インターネット９９を介してキャリア決済サーバから少なくともトークン、電話番号、決済処理情報をパラメータとして受信したら、受信したトークンをキーに前記トークン情報テーブル１４ｂを照合して取引番号を取得し、取得した取引番号をキーに取引情報テーブル１４ｃを照合して、請求額と決済額の差額でポイント利用額の計算と決済額で売主の定まれたルールに従って発生ポイントを取得し、パラメータの電話番号と取引番号をキーにして今回取引の発生ポイントと利用ポイントをポイント情報テーブル１４ｅに登録する処理である。またポイント会員ではない初回の携帯端末を用いた決済の場合、ポイント会員情報テーブルに前記電話番号をキーに簡易会員登録処理である。
【００６８】
取引情報配達更新手段１２ｐにあって、インターネット９９を介してキャリア決済サーバから少なくとも決済ＩＤをパラメータとして配達完了の通知を受信したら、受信した決済ＩＤをキーに取引情報テーブル１４ｃの配達日を更新する処理である。
【００６９】
動作プログラム格納部１２ｑは、Ｗｅｂサーバ１２の動作を規定する動作プログラムを格納しているところで、本実施例では、Ｗｅｂサーバ１２は動作プログラム格納部１２ｑからプログラムを起動させ、Ｗｅｂサーバ１２の定めた機能を実現する。
【００７０】
キャリアのキャリア決済サーバ装置２０は、キャリアの専用ネットワークである携帯ネットワーク２１とインターネットとの通信のためゲートウェイ２２と、Ｗｅｂサービスを行うＷｅｂサーバ２３と決済に必要なデータベース２５を管理するデータベースサーバ２４とを備える。
【００７１】
Ｗｅｂサーバ２３は、パラメータデータ抽出手段２３ａ、ＵＲＬ取得手段２３ｂ、固体識別番号取得手段２３ｃ、端末認証手段２３ｄ、決済額取得手段２３ｅ、決済処理手段２３ｆ、売主宛通知手段２３ｇ、携帯端末通知手段２３ｈ、配達完了登録手段２３ｉ、与信連携インタフェースモジュール２３ｊ、動作プログラム格納部２３ｋ、配達センター宛結果通知２３l、小額振替手段２３ｍを備える。
【００７２】
データベースサーバ２４は、データベース２５の中に加入者情報テーブル２５ａと加盟店情報テーブル２５ｂと、加入者決済情報テーブル２５ｃ、プリペイド情報テーブル２５ｄを備える。
【００７３】
パラメータデータ抽出手段２３ａとは、携帯端末からアクセスした際に、リクエストのパラメータから少なくとも発行者情報から加盟店ＩＤ、トークン、処理区分、請求額、加入者情報から電話番号を取得する処理で、取得した加盟店ＩＤをキーに加盟店情報テーブル２５ｂから通知ＵＲＬを取得する通知ＵＲＬ取得手段２３ｂ、固体識別番号取得手段２３ｃにより、リクエストのヘッダから固体識別番号を取得し、取得した個体識別番号をパラメータの電話番号をキーにして加入者情報テーブル２５ａを照合し、ヒットしたらアクセス元の携帯端末は正常であることを認証する端末認証手段２３ｄを備える。
【００７４】
決済額取得手段２３ｅとは、前記パラメータの処理区分がポイント利用の場合、通知ＵＲＬ取得手段２３ｂにより取得した通知ＵＲＬ宛に前記電話番号と請求額をパラメータに設定して決済額を要求し，結果を取得する処理である。
【００７５】
決済処理手段２３ｆとは、決済処理１００で別途説明する。
【００７６】
売主宛通知手段２３ｇとは、決済処理手段２３ｆの処理が成功したら、パラメータとしてトークン、電話番号、決済処理情報（決済ＩＤ、キャリアＩＤ、決済額）、配送が必要な取引の場合、配送先情報（加入者氏名、加入者住所）を設定して通知ＵＲＬ取得手段２３ｂで取得した通知ＵＲＬ宛に送信する処理である。
【００７７】
携帯端末通知手段２３ｈとは、売主宛通知手段２３ｇにより前記売主サーバのＵＲＬである前記通知ＵＲＬ宛に送信して、返事として処理結果のステータスを受信したらステータスにあわせ、正常またはエラーの結果をアクセス元である携帯電話５０に通知する処理である。
【００７８】
配達完了登録手段２３ｉとは、インターネット９９を介して配送センター６０から少なくとも決済ＩＤをパラメータとして配達完了の通知を受信したら、受信した決済ＩＤをキーに加入者決済情報テーブル２５ｃの配達日を更新する処理である。
【００７９】
与信連携インタフェースモジュール２３ｊとは、キャリアとクレジットカード会社又は金融機関との与信処理のビジネスロールを実現するモジュールであって、クレジットカード決済または預金口座振替などを実現する。
【００８０】
動作プログラム格納部２３ｋは、Ｗｅｂサーバ２３の動作を規定する動作プログラムを格納しているところで、本実施例では、Ｗｅｂサーバ２３は動作プログラム格納部２３ｋからプログラムを起動させ、Ｗｅｂサーバ２３の定めた機能を実現する。
【００８１】
配達センター宛結果通知２３lとは、配達センターから配達完了を受信して、配達完了登録手段２３ｉと売主サーバの取引情報配達更新手段１２ｐの処理の結果をアクセス元である配達センター宛に応答する処理である。
【００８２】
小額振替手段２３ｍとは、携帯端末からの小額振替のアクセスの際、パラメータデータから振替先の電話番号と振替金額を抽出するステップと前記端末認証を行うステップと振替先の電話番号がキャリアの加入者かを確認するステップと振替金額が前記プリペイド残高を含め、定まれた金額以下であることを確認するステップを備え、キャリアの与信処理機能と連携して携帯端末加入者のキャリアと課金契約「クレジットカード又は預金口座振替」に従った方法により、予め備えたキャリア口座に入金処理する与信連携インタフェースモジュール２３ｊを呼出すステップ、振替金額を入金処理し、入金が成功したら入金額を振替先の電話番号で特定するユーザＩＤのプリペイド残高に該当するバニューに増額する機能を実現する。
【００８３】
決済処理１００において、プリペイド残高取得手段１００ａと、プリペイドチャージ手段１１０と、バニューの減算手段１００ｂ、ポストペイド決済手段１００ｃ、決済情報登録手段１００ｄ、精算手段１２０を備える。
【００８４】
プリペイド残高取得手段１００ａとは、固体識別番号取得手段２３ｃにより取得した固体識別番号をキーに加入者情報テーブル２５ａからユーザＩＤを取得し、取得したユーザＩＤをキープリペイド情報テーブル２５ｄからバニューの値を取得する処理である。
【００８５】
プリペイドチャージ手段１１０において、チャージ額計算１１０ａ，入金処理１１０ｂ，バニュー増額処理１１０ｃを備える。
【００８６】
チャージ額計算１１０ａとは、チャージ金額はチャージ可能最大額からプリペイド残高取得手段１００ａにより取得したプリペイド残高の差額である。
【００８７】
入金処理１１０ｂとは、キャリアの与信処理機能と連携して携帯端末加入者のキャリアと課金契約「クレジットカード又は預金口座振替」に従った方法により、予め備えたキャリア口座に入金処理する与信連携インタフェースモジュール２３ｊを呼び、チャージ額計算１１０ａにより計算したチャージ額を入金処理する処理である。
【００８８】
バニュー増額処理１１０ｃとは、前記取得したユーザＩＤをキーにしてプリペイド情報テーブル２５ｄに入金処理１１０ｂで入金した額をバニューの値に増額する処理である。
【００８９】
バニューの減算手段１００ｂとは、前記取得したユーザＩＤをキーにしてプリペイド情報テーブル２５ｄに決済額をバニューの値に減算する処理である。
【００９０】
ポストペイド決済手段１００ｃとは、キャリアの与信処理機能と連携して携帯端末加入者のキャリアと課金契約「クレジットカード又は預金口座振替」に従った方法により、予め備えたキャリア口座に入金処理する与信連携インタフェースモジュール２３ｊを呼び、決済額を入金処理する処理である。
【００９１】
決済情報登録手段１００ｄとは、ユニークな決済ＩＤを発行し、前記取得したユーザＩＤとパラメータデータ抽出手段２３ａで抽出した加盟店ＩＤと前記決済ＩＤをキーにして前記決済額と決済日を設定し、精算区分はパラメータデータ抽出手段２３ａで抽出した処理区分により判定して通常精算かまたはエスクロー決済かを判定して設定して加入者決済情報テーブル２５ｃに新規登録する処理である。
【００９２】
精算手段１２０において、精算対象抽出１２０ａ、送金処理１２０ｂ，加入者決済情報更新手段１２０ｃを備える。
【００９３】
精算対象抽出１２０ａとは、加入者決済情報テーブル２５ｃから精算日の値がないデータを抽出する処理である。
【００９４】
送金処理１２０ｂとは、精算対象抽出１２０ａで抽出したデータの精算区分が通常の場合、または精算区分がエスクローであってかつ配達日の値がある場合は抽出したデータの加盟店ＩＤをキーに加盟店情報テーブル２５ｂを照合し、加盟店の精算口座番号を取得し、キャリアの与信処理機能と連携した与信連携インタフェースモジュール２３ｊを呼び、キャリア口座から加盟店の精算口座に決済額を送金する処理である。
【００９５】
加入者決済情報更新手段１２０ｃとは、送金処理１２０ｂが正常終了したら加入者決済情報テーブル２５ｃの精算日を更新する処理である。
【００９６】
クライアント端末３０は、ユーザが操作するパソコン等の端末であって、周知のウェブブラウザを起動して、インターネットを介して種々の情報のやりとりを行う。
【００９７】
クライアント端末３０にあって、前記売主サーバに非同期通信の処理結果通知要求手段３０aと前記クライアント通知手段１２ｋにより、前記売主サーバから処理結果を受信したら、ユーザが入力操作することなく次画面である取引感謝画面に遷移を要求する自動画面遷移手段３０ｂを備える。処理結果通知要求手段３０aと自動画面遷移手段３０ｂは周知のウェブブラウザを起動した後、機能されるスクリプトである。
【００９８】
表示装置４０は、周知のモニタで２次元コードの画像などを表示する。
【００９９】
携帯電話５０は、ユーザが操作する携帯電話等の端末であって、無線基地局８７と無線通信ネットワーク８８と携帯ネットワーク２１を介してキャリア決済サーバと種々の情報のやりとりを行う。
【０１００】
携帯電話５０は、クライアント端末３０の表示装置４０に表示された２次元コードを読取る操作により、定まれたフォーマットに関連付けられたＵＲＬに自動アクセスする機能が動作している携帯端末で自動アクセスする際には前記データ部の内容を、送信パラメータに設定し、さらに携帯端末の加入者情報を送信する。
【０１０１】
センターサーバ装置６０は、通信部６１とインターネット９９を介してＷｅｂサービスを行うＷｅｂサーバ６２と業務に必要なデータベース６４を管理するデータベースサーバ６３とを備える。
【０１０２】
通信部６１は、インターネット９９と接続し、インターネット９９を介して種々の情報のやりとりを行う。
【０１０３】
Ｗｅｂサーバ６２は、配達情報登録手段６２ａ、キャリア決済サーバアクセス手段６２ｂ、動作プログラム格納部６２ｃを備える。
【０１０４】
データベースサーバ６３は、データベース６４の中にキャリア情報テーブル６４ａと、配達情報テーブル６４ｂを備える。
【０１０５】
配達情報登録手段６２ａとは、配達携帯端末７０からアクセスの際、少なくともパラメータとして依頼主ＩＤ、キャリアＩＤ、決済ＩＤを受信して配達情報テーブル６４ｂに登録する処理である。
【０１０６】
キャリア決済サーバアクセス手段６２ｂとは、配達携帯端末７０からアクセスの際、パラメータからキャリアＩＤを抽出し、抽出したキャリアＩＤをキーにしてキャリア情報テーブル６４ａを照合してキャリア決済サーバのＵＲＬを取得し、取得したＵＲＬ宛にパラメータとして決済ＩＤを設定してアクセスする処理である。
【０１０７】
動作プログラム格納部６２ｃは、Ｗｅｂサーバ６３の動作を規定する動作プログラムを格納しているところで、本実施例では、Ｗｅｂサーバ６３は動作プログラム格納部６２ｃからプログラムを起動させ、Ｗｅｂサーバ６３の定めた機能を実現する。
【０１０８】
配達携帯端末７０は、配達員が操作する携帯電話等の端末であって、無線基地局８７と無線通信ネットワーク８８とインターネットを介して配達センターサーバと種々の情報のやりとりを行う。
【０１０９】
配達携帯端末７０は、配達伝票８０に印刷された２次元コードを読取る操作により、２次元コードに含まれた依頼主ＩＤ、キャリアＩＤ、決済ＩＤをパラメータとして設定して配達センターＵＲＬ宛にアクセスする。
【０１１０】
配達伝票８０は、配達伝票８０の２次元コードには少なくとも依頼主ＩＤ、キャリアＩＤ、決済ＩＤが含まれている。
【０１１１】
図２は、図１の決済処理手段２３ｆのブロック図である。
【０１１２】
図３は、図１に示した携帯端末を用いたプリペイド及びポストペイド決済システム,ポイントサービスシステムの動作を説明するシーケンス図である。
【０１１３】
図３のシーケンス図の説明にあって、ユーザはクライアント端末でウェブブラウザを起動して売主サーバにアクセスし、取引を行い、携帯端末を用いた決済を決定し、ポイント使用有無を選択して決済画面を要求する（ステップS1）、クライアント端末からの決済画面要求により、前記Ｗｅｂサーバ１２は、トークンと取引番号を発行する発行手段１２ａ、トークン登録手段１２ｂ、取引情報登録手段１２ｃ、データ作成手段１２ｄ、２次元コード生成手段１２ｅ、画面送信手段１２ｆが順次実行され（ステップS2）、クライアント端末は画面を受信して表示装置に表示し、前記売主サーバに非同期通信の処理結果通知要求手段３０aが実行され（ステップS3）、ユーザは表示装置４０に表示された２次元コードを読取る操作を行うと、携帯電話５０は定まれたフォーマットに関連付けられたＵＲＬに自動アクセスする機能が実行され(ステップS4)、キャリア決済サーバのＷｅｂサーバ２３は、パラメータデータ抽出手段２３ａ、ＵＲＬ取得手段２３ｂ、固体識別番号取得手段２３ｃ、端末認証手段２３ｄ、処理区分がポイント利用の場合、決済額取得手段２３ｅが順次実行され（ステップS5）、Ｗｅｂサーバ１２は、キャリア決済サーバからのポイント利用後の決済額要求に応じて決済額計算手段１２ｎが実行され(ステップS６)、処理区分がポイント非利用の場合は請求額が決済額になるし、決済処理手段２３ｆと売主宛通知手段２３ｇが順次実行され（ステップS7）、Ｗｅｂサーバ１２は、アクセス元判定手段１２ｇと、トークン判定手段１２ｈと、取引情報決済更新手段１２ｉと、トークン更新手段１２ｊと、ポイント情報登録手段１２ｏ、クライアント通知手段１２ｋと、結果通知手段１２ｌが順次実行され（ステップS８）、クライアント端末は処理結果を受信したら、ユーザが入力操作することなく次画面である取引感謝画面に遷移を要求する自動画面遷移手段３０ｂが実行され（ステップS９）、Ｗｅｂサーバ１２は、ステップS９により取引感謝画面送信手段１２ｍが実行され（ステップS１０）、Ｗｅｂサーバ２３は、売主サーバからの処理結果通知により、携帯電話５０に処理結果を知らせる携帯端末通知手段２３ｈが実行され（ステップS１１）。
【０１１４】
図４は、図１に示した携帯端末を用いたプリペイド及びポストペイド決済システム, エスクローサービスシステムの動作を説明するシーケンス図である。
【０１１５】
図４のシーケンス図の説明にあって、配達員は配達携帯端末を用いて配達伝票に印刷されている２次元コードの画像を読取る操作により、配達携帯端末から配達センターサーバにアクセスして、配達完了を通知する（ステップS1）、Ｗｅｂサーバ６２は、配達情報登録手段６２ａとキャリア決済サーバアクセス手段６２ｂが順次実行され（ステップS2）、キャリア決済サーバのＷｅｂサーバ２３は、配達完了登録手段２３ｉの実行と売主サーバに決済ＩＤをパラメータに設定して配達完了を通知する（ステップS3）、Ｗｅｂサーバ１２は、キャリア決済サーバのＷｅｂサーバ２３から配達完了通知を受信したら取引情報配達更新手段１２ｐの実行とキャリア決済サーバのＷｅｂサーバ２３に処理結果を応答する（ステップS4）、Ｗｅｂサーバ２３は、処理の結果を配達センターサーバに応答する。（ステップS5）
【０１１６】
図５は、図３シーケンス図のS5、S7、S11の動作を説明するフローチャート図である。
【０１１７】
図５のフローチャート図の説明にあって、S1においては、パラメータデータ抽出手段２３ａが実行され。S2においては、ＵＲＬ取得手段２３ｂが実行され、少なくとも通知ＵＲＬの取得処理を行い、成功か失敗かが判定され、判定結果が否定の場合はS10に移行するが、肯定の場合にはS3に移行する。S３においては、固体識別番号取得手段２３ｃが実行され、携帯電話５０の固有の固体識別番号を取得する、S4においては、端末認証手段２３ｄが実行され、ヒットの有無が判定され、ヒットが無の場合S１０に移行するが、ヒットが有の場合はS5に移行する。S5においては、S1で取得したパラメータである処理区分が判定され、処理区分がポイント利用の場合はS6に移行するが、処理区分がポイントを利用しない場合はパラメータの請求額は決済額にして決済処理を行うS７に移行する。S６においては、決済額取得手段２３ｅを実行し、決済額を取得する。S7においては、決済関連の一連の処理が実行され、S8においては、一連の処理が正常の場合、結果を売主サーバに送信する売主宛通知手段２３ｇが実行され、S９においては、一連の処理が正常の場合、結果をアクセス元である携帯電話５０に通知する携帯端末通知手段２３ｈが実行され、S10においては、エラーが発生した場合にあって、エラーの内容を携帯電話５０に応答し、処理を終了する。
【０１１８】
図６は、図５フローチャート図のS７の動作である決済処理を説明するフローチャート図である。
【０１１９】
図６のフローチャート図の説明にあって、S1においては、決済額が定まれた金額以下の小額決済かが判定され、小額決済の場合S２に移行するが、決済額が定まれた金額を超えた場合はS６に移行する。S２においては、プリペイド残高取得手段１００ａが実行され、S３においては、決済額とS2で所得したプリペイド残高の差額が判定され、プリペイド残高が不足の場合、S4に移行するが、プリペイド残高が足りる場合はS5に移行する。S４においては、プリペイドチャージ手段１１０の一連の処理であるチャージ額計算１１０ａ，入金処理１１０ｂ，バニュー増額処理１１０ｃが順次実行され、S５においては、バニューの減算手段１００ｂが実行される。S６においては、ポストペイド決済手段１００ｃが実行される。S７においては、決済情報登録手段１００ｄが実行され、S８においては、精算手段１２０の一連の処理が実行される。
【０１２０】
図７は、図６フローチャート図のS８の動作である精算処理を説明するフローチャート図である。
【０１２１】
図７のフローチャート図の説明にあって、S1おいては、精算対象抽出１２０ａで抽出したデータの精算区分が判定され、精算区分が通常の場合、S３に移行するが、精算区分がエスクローの場合、S２移行する、S２おいては、精算対象抽出１２０ａで抽出したデータの配達日が判定され、配達日の値がある場合、S３に移行するが、配達日の値がない場合は、精算処理を終了する。S３においては、送金処理１２０ｂが実行され、S４においては、加入者決済情報更新手段１２０ｃが実行される。
【０１２２】
図８は、図３シーケンス図のS８の動作を説明するフローチャート図である。
【０１２３】
図８のフローチャート図の説明にあって、S1においては、アクセス元判定手段１２ｇが実行され、アクセス元が不正であればS８に移行するが、正当であればS2に移行する。S２においては、トークン判定手段１２ｈが実行され、トークンが無効の場合はS８に移行するが、有効の場合はS３に移行する。S３においては、ポイント情報登録手段１２ｏが実行され、S４においては、取引情報決済更新手段１２ｉが実行され、S５においては、トークン更新手段１２ｊが実行される。S６においては、結果通知手段１２ｌが実行され、成功のステータスをレスポンスする。  S７においては、クライアント通知手段１２ｋが実行される。S８においては、結果通知手段１２ｌが実行され、失敗のステータスをレスポンスする。
【０１２４】
図９は、キャリアと携帯電話加入申込みと決済サービス契約の動作を説明するためのフローチャートである。
【０１２５】
図９のフローチャート図の説明にあって、S1においては、携帯電話加入申込み者（契約者）はキャリア側に契約者情報（氏名・住所・生年月日等）、お支払い方法の指定とお支払い情報を提出することで携帯電話加入と課金契約の申し込みを行い、キャリア側は申込み者の契約者本人確認を行い、利用者の識別に必要な情報を登録したＩCカードを携帯電話に差し込むことで携帯電話を開通し、キャリアのシステムではユーザＩＤを発行し、利用者を特定する固体識別番号、携帯電話番号、ユーザＩＤをデータベースに管理する。
【０１２６】
S２においては、携帯電話加入者が決済サービスを申し込み、S３においては、パスワードを設定し、キャリア側は加入者情報テーブル２５ａに少なくとも固体識別番号、ユーザＩＤ、ユーザ名、携帯電話番号、パスワード、住所の登録処理を行う。
【０１２７】
図１０は、キャリアと加盟店契約の動作を説明するためのフローチャートである。
【０１２８】
図１０のフローチャート図の説明にあって、S1においては、加盟店申込み者はキャリア側に加盟店情報などを記入した申込書を提出する。S２においては、キャリア側は審査を行い、定また条件をクリアしないと申込は取消になる。S３においては、契約を締結し、加盟店のシステムを構築する。
【０１２９】
図１１から図２２のテータベースのテーブルは本発明を説明するためのサンプルである。
図１１から図２２のテータベースのテーブルのデータは実データではなく例証としてのデータである。
【０１３０】
図２３は、前記データ作成手段１２ｄで作成するデータのファーマットであり、このフォーマットで作成した２次元コードの画像を携帯電話５０で読取操作により、キャリア決済サーバに自動アクセスする。
【０１３１】
以上説明した実施例において、構成図のサーバ装置とサーバのソフトウェアは周知の市販のもので本発明の機能を実現するプログラムを作成し、サーバにロードすることによって実現できる。
【０１３２】
以上説明した実施例において、図示した構成は単なる一例であって、本発明はその構成に限定されるものではない。
【産業上の利用可能性】
【０１３３】
本発明は、オンライン取引の決済、オフライン取引の決済、ポイントサービス、エスクローサービス、小額振替に適用することができる。
【図面の簡単な説明】
【０１３４】
【図１】携帯端末を用いたプリペイド及びポストペイド決済システム,小額振替方法、ポイントサービスシステム、エスクローサービスシステムの構成図である。
【図２】図１の決済処理手段２３ｆのブロック図である。
【図３】図１に示した携帯端末を用いたプリペイド及びポストペイド決済システム,ポイントサービスシステムの動作を説明するシーケンス図である。
【図４】図１に示した携帯端末を用いたプリペイド及びポストペイド決済システム, エスクローサービスシステムの動作を説明するシーケンス図である。
【図５】図３シーケンス図のS5、S7、S11の動作を説明するフローチャート図である。
【図６】図５フローチャート図のS７の動作である決済処理を説明するフローチャート図である。
【図７】図６フローチャート図のS８の動作である精算処理を説明するフローチャート図である。
【図８】図３シーケンス図のS８の動作を説明するフローチャート図である。
【図９】キャリアと携帯電話加入申込みと決済サービス契約の動作を説明するためのフローチャートである。
【図１０】キャリアと加盟店契約の動作を説明するためのフローチャートである。
【図１１】加入者情報テーブルの構成。
【図１２】加盟店情報テーブルの構成。
【図１３】加入者決済情報テーブルの構成。
【図１４】プリペイド情報テーブルの構成。
【図１５】キャリア情報テーブルの構成。
【図１６】トークン情報テーブルの構成。
【図１７】取引情報テーブルの構成。
【図１８】ポイント会員情報テーブルの構成。
【図１９】ポイント情報テーブルｅの構成。
【図２０】配送先情報テーブルの構成。
【図２１】配達センター用キャリア情報テーブルの構成。
【図２２】配達情報テーブルの構成。
【図２３】２次元コード用のデータのファーマット
【符号の説明】
【０１３５】
１０        売主サーバ装置
１１        売主サーバ装置の通信部
１２        売主サーバのＷｅｂサーバ
１２ａ      トークンを発行する発行手段
１２ｂ      トークン登録手段
１２ｃ      取引情報登録手段
１２ｄ      データ作成手段
１２ｅ      ２次元コード生成手段
１２ｆ      画面送信手段
１２g        アクセス元判定手段
１２ｈ      トークン判定手段
１２ｉ      取引情報決済更新手段
１２ｊ      トークン更新手段
１２ｋ        クライアント通知手段
１２ｌ      結果通知手段
１２ｍ      取引感謝画面送信手段
１２ｎ      決済額計算手段
１２ｏ      ポイント情報登録手段
１２ｐ      取引情報配達更新手段
１２ｑ      動作プログラム格納部
１３        データベースサーバ
１４        データベース
１４ａ       キャリア情報テーブル
１４ｂ      トークン情報テーブル
１４ｃ       取引情報テーブル
１４ｄ       ポイント会員情報テーブル
１４ｅ       ポイント情報テーブル
２０         キャリア決済サーバ装置
２１        携帯ネットワーク
２２        ゲートウェイ
２３        キャリア決済サーバのＷｅｂサーバ
２３ａ        パラメータデータ抽出手段
２３ｂ        ＵＲＬ取得手段
２３ｃ        固体識別番号取得手段
２３ｄ        端末認証手段
２３ｅ        決済額取得手段
２３ｆ        決済処理手段
２３ｇ        売主宛通知手段
２３ｈ        携帯端末通知手段
２３ｉ        配達完了登録手段
２３ｊ        与信連携インタフェースモジュール
２３ｋ        動作プログラム格納部
２３ｌ         配達センター宛結果通知
２３ｍ        小額振替手段
２４        データベースサーバ
２５        データベース
２５ａ        加入者情報テーブル
２５ｂ        加盟店情報テーブル
２５ｃ        加入者決済情報テーブル
２５ｄ        プリペイド情報テーブル
３０          クライアント端末
３０ａ        非同期通信の処理結果通知要求手段
３０ｂ        自動画面遷移手段
４０          表示装置
５０          カメラ付き携帯端末
６０          配達センターサーバ装置
６１          配達センターサーバ装置の通信部
６２          配達センターサーバのＷｅｂサーバ
６２ａ        配達情報登録手段
６２ｂ        キャリア決済サーバアクセス手段
６２ｃ        動作プログラム格納部
６３          データベースサーバ
６４          データベース
６４ａ        キャリア情報テーブル
６４ｂ        配達情報テーブル
７０          配達携帯端末
８０           配達伝票
８７          無線基地局
８８          無線通信ネットワーク
９９          インターネット回線
１００        決済処理のブロック図
１００ａ          プリペイド残高取得手段
１００ｂ          バニューの減算手段
１００ｃ          ポストペイド決済手段
１００ｄ          決済情報登録手段
１１０        プリペイドチャージ手段
１１０ａ          チャージ額計算
１１０ｂ          入金処理
１１０ｃ           バニュー増額処理
１２０        精算手段
１２０ａ          精算対象抽出
１２０ｂ          送金処理
１２０ｃ          加入者決済情報更新手段
【図１】
2011141849.tif 000003
【図２】
2011141849.tif 000004
【図３】
2011141849.tif 000005
【図４】
2011141849.tif 000006
【図５】
2011141849.tif 000007
【図６】
2011141849.tif 000008
【図７】
2011141849.tif 000009
【図８】
2011141849.tif 000010
【図９】
2011141849.tif 000011
【図１０】
2011141849.tif 000012
【図１１】
2011141849.tif 000013
【図１２】
2011141849.tif 000014
【図１３】
2011141849.tif 000015
【図１４】
2011141849.tif 000016
【図１５】
2011141849.tif 000017
【図１６】
2011141849.tif 000018
【図１７】
2011141849.tif 000019
【図１８】
2011141849.tif 000020
【図１９】
2011141849.tif 000021
【図２０】
2011141849.tif 000022
【図２１】
2011141849.tif 000023
【図２２】
2011141849.tif 000024
【図２３】
2011141849.tif 000025